(57)【特許請求の範囲】
【請求項１】
ウインチ本体と、ウインチ本体に設けられワイヤーロープを巻回するためのドラムと、ワイヤーロープをドラムの周面に押しつけるローラーチエーンとからなるウインチにおいて、前記ローラーチエーンの両端側にはウインチ本体に設けられた支軸にバネ等で逆方向に緊張が与えられた支持体から構成された弾性体が設けられ、且つ弾性体の近傍にはワイヤーロープを案内するための案内ドラムが設けられていることを特徴とするネット昇降用等のウインチ。
【発明の詳細な説明】
【０００１】
【発明の属する技術分野】
本発明は、ウインチに関し、特に防球用の囲いネットを昇降するのに使用するネット昇降用等のウインチに関する。
【０００２】
【従来の技術】
例えば、野球、サーカー等の球技場、ゴルフ練習場においては、防球用のネットを練習場の周囲の支柱に沿って囲んだ状態で設けられている。
これらのネットは、その競技目的に応じて、昇降されてる場合や、風の強い日に下降させる場合がある。
【０００３】
その際、使用するウインチとして、例えば、実開平１−４５６９２号公報に開示されたウインチ（図２参照）がある。このウインチは、ケース（本体部分）２１と、Ｖ字状の溝が周面に形成された巻ドラム２２と、巻ドラム２２の周面のロープ巻き込み側へワイヤーロープ２３を案内するシープガイド２４と、ワイヤーロープ２３を巻ドラム２２の周面に押しつけることによってワイヤーロープ２３を挟着するローラチエーン２５と、シープガイド２４を回転自在に保持するとともにローラーチエーン２５とシープガイド２４とを連結する連結部材２６とを備え、ローラチエーン２５の一端側はケース（本体部分）２１に固定されている構成である。
【０００４】
この従来のウインチでは、同図に示す一定方向（矢印ａ方向）にワイヤーロープ２３を引き出す場合は、ワイヤーロープ２３の真っ直ぐに延びる力がシープガイド２４に伝達され、シープガイド２４が同方向に移動する。シープガイド２４が移動すれば連結部材２６を介してローラーチエーン２５にその移動が伝達され、ローラーチエーン２５によるワイヤーロープ２３の把持力は増大し、確実にワイヤーロープ２３を挟着することが可能となる。
【０００５】
【発明が解決しようとする課題】
しかしながら、上記のウインチでは、ローラーチエーンの一端側がケースに固定しているために、防球用のネット等を昇降する場合のように、ワイヤーロープを引き出したり又は巻き取ったりする際、即ち、巻ドラムの回転方向が逆になった場合等、ローラーチエーンによるワイヤーロープの把持力の調整ができず、スムーズな引出し又は巻き取りができないという問題点があった。
【０００６】
また、シープガイドと連結部材とでワイヤーロープの引っ張り方向に対して押圧するような構成であるために、ワイヤーロープのウインチへの取り入れ方向が自ずと制限されるという欠点があった。
【０００７】
そこで、本発明では、ワイヤーロープを引き出したり又は巻き取ったりどちらの場合場合でも、常にローラーチエーンによるワイヤーロープへの把持力又はドラム側への押圧力を調整して、ワイヤーロープのドラムでの空回り等を確実に阻止できるネット昇降用等のウインチを提供することにある。
他の課題として、ワイヤーロープのウインチへの取り入れ方向を自在に調整することができるネット昇降用等のウインチを提供することにある。
【０００８】
【課題を解決するための手段】
即ち、本発明は上記課題を解決するために、ウインチ本体と、ウインチ本体に設けられワイヤーロープを巻回するためのドラムと、ワイヤーロープをドラムの周面に押しつけるローラーチエーンとからなるウインチにおいて、前記ローラーチエーンの両端側にはウインチ本体に設けられた支軸にバネ等で逆方向に緊張が与えられた支持体から構成された弾性体が設けられ、且つ弾性体の近傍にはワイヤーロープを案内するための案内ドラムが設けられていることを特徴とする。
【００１１】
【作用】
上記本発明のネット昇降用等のウインチは、ドラムに巻回されたワイヤーロープを引出し又は巻き取りしても、ローラーチエーンの両端側がウインチ本体に設けられた弾性体により張設されているので、常にドラムの回転方向にローラーチエーンが引っ張られた状態でワイヤーロープをドラムの周面に押しつけるために、ワイヤーロープの乱巻き等がおこることなく、ワイヤーロープの凹凸面に応じてドラム側に押圧しながら巻き取りできる。
【００１２】
また、ワイヤーロープのドラムの回転方向による巻き取り方向により、ローラーチエーンの弾性体による張設力が自在に調整される、即ち、巻き取り方向と反対方向又は同じ方向の張設力を強めたり又は弱めたりすることで、さらにスムーズにワイヤーロープを巻き取り／引出しすることが可能となる。
【００１３】
さらに、ワイヤーロープの案内方向に応じてウインチ本体に案内ドラムを所定個数取り付けることで、ウインチ本体へのワイヤーロープの取り入れ方向を自在に調整することができるとともに、案内ドラムを並列に２個配置または三角状に３個配置する等してドラムへのワイヤーロープの巻き取り／引出しをさらに容易にすべく構成することも可能である。
【００１４】
【実施例】
以下、本発明のネット昇降のウインチの一実施例を示す。図１において、ウインチ本体１には、周面が略円弧状に形成され、ウインチ本体１内に設けられた駆動源（図示せず）により回転駆動するドラム２と、ドラム２の周面へワイヤーロープ３を押付けることでワイヤーロープ３のドラム２に対しての空回り等を阻止するためのローラチエーン４と、ローラーチエーン４の両端側でそれぞれ連結され、ローラーチエーン４をそれぞれ引っ張る方向にテンション（張力）を付与するための弾性体５と、ウインチ本体１の一端側で、且つ弾性体５の近傍に三角状に設けられた３個の案内ドラム６とから構成されている。
【００１５】
ローラチエーン４は、ワイヤーロープ３をドラム２側に押圧すべく複数のローラー７とローラー７をそれぞれ連結するための連結体８とシャフト９とから構成されている。これにより、ワイヤーロープ３の表面の凹凸に応じて押圧することができる。
【００１６】
弾性体５は、ウインチ本体１に設けられた支軸１０、１０にバネ等で逆方向（矢印Ａ、Ｂ方向）に緊張（テンション）与えられた支持体１１、１１が設けられた構成である。
【００１７】
次に、上記ネット昇降等のウインチを使用してワイヤーロープ３を引き出す又は巻き取る場合について説明する。
先ず、ワイヤーロープ３を引き出す場合は、三角状の案内ドラム６に沿ってワイヤーロープ３間が調整された状態でドラム２より引き出される。この際、ドラム２に設けられたローラーチエーン４は引出し方向に引っ張られた状態でワイヤーロープ３をドラム２側に押圧する。このため、ワイヤーロープ３のドラム２上での空回りを確実に防ぐことが可能となる。
【００１８】
次に、ワイヤーロープ３を巻き取る場合は、前記と同様に三角状の案内ドラム６に沿ってワイヤーロープ３間が調整された状態でドラム２より引き出される。この際、ドラム２に設けられたローラーチエーン４は逆の方向に引っ張られた状態でワイヤーロープ３をドラム２側に押圧する。このため、ワイヤーロープ３のドラム２上での空回りを確実に防ぐことが可能となる。
即ち、ワイヤーロープ３がどちら側に引っ張られてもローラーチエーン４の両端側の弾性体５の支持体１１が引っ張り方向（ドラム２の回転方向）に応じてワイヤーロープ３への押圧力が調整され、ワイヤーロープ３をドラム２側に押圧するとともにスムーズなドラム２の回転を助けることができることとなる。
【００１９】
尚、実施例では、案内ドラム６を三角状に設けたが、ワイヤーロープ３への荷重等に応じて、並列した２個で形成してもよく、又千鳥状に配置することも可能である。さらに、ワイヤーロープ３の引出し方向が相違する場合は、その方向に応じて自在に案内ドリル６を取り付けることで、種々の引っ張り方向に対応することが可能である。
【００２０】
また、弾性体５の構成も、ローラーチエーン４を直接バネ等で引っ張る構成でもよい。要は、ローラーチエーン４の両端側が引っ張られた構成であればよい。
さらに、弾性体５による引張力は、バネ等を交換することで自在に調整可能である。
【００２１】
【発明の効果】
本発明によるネット昇降等用のウインチは、従来の装置に比し、あらゆる場合でもワイヤーロープをドラム側に確実に押圧できるとともに、その押圧力が調整可能であるために、ドラムによるワイヤーロープの空回りを確実に防ぎ、スムーズにワイヤーロープを引出し又は巻き取りできるという効果がある。
【００２２】
また、従来の装置に比し、ワイヤーロープの引っ張り方向も自在に変更可能であるために、多種の目的をもったウインチとして利用できるという利点がある。
【図面の簡単な説明】
【図１】は、本発明の一実施例を示すウインチの概略平面図。
【図２】従来例を示す概略平面図。
【符号の説明】
１…ウインチ本体
４…ローラーチエーン
５…弾性体
【図１】
0003677564.tif 000002
【図２】
0003677564.tif 000003